【事件の表示】
　特許第３２５２１３３号「ＩＣカードの接触及び解除機構」の請求項１に係る特許に対する特許異議の申立てについて、次のとおり決定する。
【結　論】
　訂正を認める。
　特許第３２５２１３３号の請求項１に係る特許を維持する。
【理　由】
１．手続の経緯　
　
　特許第３２５２１３３号の請求項１に係る発明についての出願は、平成１１年３月３日に出願した特願平１１−０５５６９７号の一部を平成１２年１月１１日に新たな特許出願としたものであって、平成１３年１１月１６日にその発明について特許権の設定登録がされ、その後、その特許について、異議申立人小田切 宣和により特許異議の申立てがなされ、取消しの理由が通知され、その指定期間内である平成１５年１月６日に訂正請求がなされたものである。　
　
２．訂正の適否についての判断　
　
（１）訂正の内容　
　
　特許権者が求めている訂正の内容は以下のａ、ｂ、ｃのとおりである。　
　
（ａ）訂正事項ａ　
　特許請求項の範囲の請求項１について、特許請求の範囲の減縮を目的として、　
「【請求項１】電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カード収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記カ一ド挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；他方上記コネクタハウジングの上記プッシュレバーと対向して延在せる側壁により上記ＩＣカードの他側面を規制してＩＣカードの挿抜を案内する第一サイド定規を形成し；更に上記プッシュレバーの前端部にＩＣカードの前端面コーナー部に係合して上記ＩＣカードの挿入時並びにカードイジェクト時における上記各押圧を図るカード係合部を形成したことを特徴とするＩＣカードの接触及び解除機構」を、　
「【請求項１】電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カ一ド収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記力一ド挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；他方上記コネクタハウジングの上記プッシュレバーと対向して延在せる側壁により上記ＩＣカードの他側面を規制してＩＣカードの挿抜を案内する第一サイド定規を形成し；更に上記プッシュレバーの前端部にＩＣカードの前端面コーナー部に係合して上記ＩＣカードの挿入時並びにカードイジェクト時における上記各押圧を図るカード係合部を形成し；上記カード収容スペースをコネクタハウジングの後側面において開口させてカード受口を形成し；該カード受口の一端に上記カード放出弾力により後退した上記プッシュレバーの後端面を当接するストッパーを設けたことを特徴とするＩＣカードの接触及び解除機構。」　
と訂正する。　
　
（ｂ）訂正事項ｂ　
　発明の詳細な説明の欄の第０００９段落について、明りょうでない記載の釈明を目的として、　
「【０００９】　
　更にＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備える。」を、　
「【０００９】　
更にＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備える。　
　そして上記カード収容スペースをコネクタハウジングの後側面において開口させてカード受口を形成し、該カード受口の一端に上記カード放出弾力により後退した上記プッシュレバーの後端面を当接するストッパーを設け、待機状態を形成する。」　
と訂正する。　
　
（ｃ）訂正事項ｃ　
　発明の詳細な説明の欄の第００４１段落について、明りょうでない記載の釈明を目的として、　
「【００４１】　
　図６に示すように、ＩＣカード１２をカード収容スペース８内に収容していない時においては、カードプッシャー１６はコイルバネ２６の弾発力により後退し、カード受口９の一端にベース３と一体に設けたストッパー２３に当接して待機状態を形成している。」を、　
「【００４１】　
　図６に示すように、ＩＣカード１２をカード収容スペース８内に収容していない時においては、カードプッシャー１６はコイルバネ２６の弾発力により後退し、カード受口９の一端にベース３と一体に設けたストッパー２３に上記カードプッシャーの後端面を当接して待機状態を形成している。」　
と訂正する。　
　
（２）訂正の目的の適否、新規事項の有無、及び特許請求の範囲の拡張・変更の存否　
　
（訂正事項ａについて）　
　上記訂正事項ａは、請求項１に「；上記カード収容スペースをコネクタハウジングの後側面において開口させてカード受口を形成し；該カード受口の一端に上記カード放出弾力により後退した上記プッシュレバーの後端面を当接するストッパーを設け」という構成を追加するものであるが、上記訂正事項ａに関連する記載として、願書に最初に添付した明細書（以下、「特許明細書」という。）の発明の詳細な説明の欄の第００２１段落には、「上記カバー３は天板部４と、該天板部４の左右側辺に沿うカード挿入方向に延びる左右側板５を有し、該カバー３をベース２に抱き合わせ、カバー３の左右側板５に設けた係止爪６をベース２の左右側縁に形成した凹所７に折曲係合してコネクタハウジング１を組み立て、ベース２とカバー３間にカード収容スペース８を形成し、該カード収容スペース８をコネクタハウジング１の後側面において開口させてカード受口９とする。このカード受口９は電子機器の外壁に設けたカード受口と一致する。」と記載され、第００４１段落には、「図６に示すように、ＩＣカード１２をカード収容スペース８内に収容していない時においては、カードプッシャー１６はコイルバネ２６の弾発力により後退し、カード受口９の一端にベース３と一体に設けたストッパー２３に当接して待機状態を形成している。」と記載され、又、第６図乃至第１０図を参照すると、カードプッシャーの一端面がストッパーに当接している構成が記載されており、さらに、特許明細書の発明の詳細な説明の欄の第００３３段落には、「上記カード係合部３３の前端面３６はＩＣカード１２の前端面３７のレベルと略同一にすることができる。即ちコネクタハウジング１の前壁即ちベースの前壁２９内面にＩＣカード１２の前端面３７が当接した時にカード係合部３３の前端面３６がコネクタハウジング１の前壁２９に接するか接しないレベルに設定する。」と記載され、該記載の前端面３６の反対側の端面であってストッパーに当接するカードプッシャーの上記一端面が、後端面であることは明らかである。　
　したがって、上記訂正事項ａの「上記カード収容スペースをコネクタハウジングの後側面において開口させてカード受口を形成し；該カード受口の一端に上記カード放出弾力により後退した上記プッシュレバーの後端面を当接するストッパーを設けたこと」は特許明細書に記載されているものと認められる。　
　そうすると、上記訂正事項ａは、特許明細書に記載された事項の範囲内においてコネクタハウジング、及び、コネクタハウジングのカード受口の構成を限定したものといえるから、特許請求の範囲の減縮に該当し、新規事項の追加に該当せず、又、実質上特許請求の範囲を拡張し、又は変更するものではない。　
　
（訂正事項ｂ及びｃについて）　
　上記訂正事項ｂは第０００９段落に「そして上記カード収容スペースをコネクタハウジングの後側面において開口させてカード受口を形成し、該カード受口の一端に上記カード放出弾力により後退した上記プッシュレバーの後端面を当接するストッパーを設け、待機状態を形成する。」を追加するものであり、又、訂正事項ｃは第００４１段落に「上記カードプッシャーの後端面を」を追加するものであって、いずれも、上記訂正事項ａの「；上記カード収容スペースをコネクタハウジングの後側面において開口させてカード受口を形成し；該カード受口の一端に上記カード放出弾力により後退した上記プッシュレバーの後端面を当接するストッパーを設け」という訂正に併せて、発明の詳細な説明の欄の第０００９段落及び第００４１段落の記載を明りょうにするための訂正であって、明りょうでない記載の釈明に該当し、新規事項の追加に該当せず、又、実質上特許請求の範囲を拡張し、又は変更するものではない。　
　
（３）むすび　
　
　以上のとおりであるから、上記訂正は特許法第１２０条の４第２項及び同条第３項において準用する第１２６条第２項、第３項の規定に適合するので、当該訂正を認める。　
　
３．特許異議の申立てについて　
　
（１）申立ての理由の概要　
　
　特許異議申立人小田切宣和は、特許第３２５２１３３号の請求項１に係る発明は、甲第１号証で示すものに記載された発明であり、特許法第２９条の２に規定する発明に該当し、その特許は、特許法第１１３条第２号に該当するので取り消されるべきものである旨主張している。　
　
（２）本件発明　
　
　特許第３２５２１３３号の請求項１に係る発明（以下、「本件発明」という。）は、平成１４年１２月２７日付けの訂正明細書の特許請求の範囲の請求項１に記載された事項により特定される次のとおりのものである。　
　
「【請求項１】電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カ一ド収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記力一ド挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；他方上記コネクタハウジングの上記プッシュレバーと対向して延在せる側壁により上記ＩＣカードの他側面を規制してＩＣカードの挿抜を案内する第一サイド定規を形成し；更に上記プッシュレバーの前端部にＩＣカードの前端面コーナー部に係合して上記ＩＣカードの挿入時並びにカードイジェクト時における上記各押圧を図るカード係合部を形成し；上記カード収容スペースをコネクタハウジングの後側面において開口させてカード受口を形成し；該カード受口の一端に上記カード放出弾力により後退した上記プッシュレバーの後端面を当接するストッパーを設けたことを特徴とするＩＣカードの接触及び解除機構。」　
　
（３）引用例　
　
　引用例１：特願平９−２９４３５３号（特開平１１−１３５１９２号）の　　　　　　願書に最初に添付した明細書又は図面（以下、「先願明細書」　　　　　　という。）（甲第１号証）　
　引用例２：特開平１０−２５５９０５号公報　
　
（４）引用例に記載された発明　
　
（引用例１について）　
　引用例１には、　
（ア）「（前略）カードが挿入されて（中略）そのカードの電極と接触する接点を備えた接片部材が上記ボディに設けられていることを特徴とするカードコネクタ」（先願明細書特許請求の範囲請求項１）であって、　
（イ）「（前略）カード挿入方向の前後にスライド自在に保持されていると共に、このスライダを後退方向に弾発付勢するカード排出用ばね体が上記ボディに具備された前壁とその前壁に前後方向で対向する上記スライダの前部との間に介在され（後略）」（先願明細書特許請求の範囲請求項１）るように構成されたスライダと、　
（ウ）、「上記スライダを後退位置に位置決めする初期状態と、後退位置から押し込まれた上記スライダをその前進位置と上記後退位置との間の中間位置に位置決めする動作状態とに切り換わり可能で、かつ、後退位置から押し込まれた上記スライダをその前進位置を経由して中間位置まで後退させる機能及び中間位置から押し込まれた上記スライダをその前進位置を経由して上記後退位置まで戻す機能を備え（後略）」（先願明細書特許請求の範囲請求項１）たカム機構を備え、　
（エ）さらに、上記スライダは、「（前略）前後に細長い形状の合成樹脂成形体で作られてい（後略）」て、「（前略）その内側に後述するカード（ＩＣカードなど）１００の左右方向片側の側端面１０１を支える支持面４１と、（中略）上記支持面４１と直角をなす係合面４３とを有しており、そのうちの上記係合面４３によってカード１００の先端１０２が突き当たって係合される係合部４４が形成されて（後略）」（先願明細書第００２０段落）おり、　
　又、「スライダ４が後退位置に位置決めされているときに、そのスライダ４にカード１００がその表裏の向きを適正にして前向きに挿入されると、（中略）カード１００の先端１０２がスライダ４の係合部４４に突き当たる。」（先願明細書第００２９段落）ように、　かつ、「（前略）スライダ４が前進位置から後退位置まで後退するとき（中略）カード排出」（先願明細書００３２段落）を行うように構成されており、　
（オ）さらに、「（前略）スライダ４はカード排出用ばね体２７によって後退方向に常時付勢されていて、その後退位置がカム機構６によって規制される。すなわち、スライダ４が図７のように後退位置に位置しているときには、図１１の（Ｉ）に示したように、ピン部材８の軸体８２がカム溝７１の前端ａを係止してスライダ４をその後退位置に位置決めしている。そして、このときのカム機構６の状態が初期状態である。」（先願明細書第００２８段落）ように構成されている　
　カードコネクタ　
（以下、「先願発明」という。）が記載されている。　
　
（引用例２について）　
　引用例２には、　
（カ）「ＩＣカードの挿入を待機している状態で、ガイドケースは、付勢手段により付勢されストッパーに当接した待機位置で停止し、このとき、ロックピンの先端は、ハート型カム溝の係止解除位置に位置している。（中略）再び、ＩＣカードによりガイドケースを押し込むと、ロックピンの先端が係止位置から係止解除位置へ復帰し、ガイドケースは、復帰手段に付勢されて、接続位置からストッパーに当接する待機位置まで復帰する。」（公報第００１３段落）　
（キ）「（前略）コイルスプリング５で前方に付勢されたガイドケース３は、ハウジング２の前端にねじ止めされた一対のストッパー４、４に当接して抜け止めされる。」（公報第００２７段落）　
（ク）「ストッパー４の一側面には、ＩＣカード１０の挿入をガイドするガイド枠部４４が形成され、左右一対のストッパー４間のガイド枠部４４、４４間にＩＣカード１０を挿入すると、後述するガイドケース３のＩＣカード収容凹部３１内に案内されるようになっている。（後略）」（公報第００２９段落）　
（ケ）「図１２（ａ）は、ＩＣカード１０の挿入を待機している状態で、ガイドケース３は、コイルスプリング５に付勢されてストッパー４に当接した待機位置で停止している。」（公報第００４２段落）　
（コ）「尚、上記実施の形態では、ガイドケース３をストッパー４に当接させて、当接位置を待機位置としたが、ロックピン１５の係止によってガイドケース３の復帰移動を規制して、その係止位置を待機位置としてもよい。」（公報第００５４段落）　
（サ）「すなわち、ＩＣカード１０の挿入を待機している待機状態で、ストッパー４が取り除かれていると、ロックピン１５の先端１５ｃは、図６（ａ）のハート型カム溝３４の後端面３４ａに係止し、ガイドケース３の前方への移動が規制される。従って、この先端１５ｃの後端面３４ａへの係止位置を、第２係止位置すれば、ロックピン１５の先端１５ｃが、第２の係止位置で後端面３４ａに係止したときを、ガイドケース３の待機位置として、ストッパー４を用いずに待機位置でガイドケース３の移動を停止させることができる。」（公報第００５５段落）　
　
（５）対比・判断　
　
　本件発明と先願発明を対比する。　
　
（ｉ）先願発明の「ボディ」、「カード」、「接片部材」、「カム機構」、「カードコネクタ」は、それぞれ本件発明の「電子機器のコネクタハウジング」「ＩＣカード」「コンタクト」、「ロック手段」、「ＩＣカードの接触及び解除機構」に相当する。　
（ii）先願発明のスライダを構成する「カード（ＩＣカードなど）１００の左右方向片側の側端面１０１を支える支持面４１」は、本件発明のカードプッシャーを構成する「ＩＣカードの一側面を規制してＩＣカードの挿抜を案内する第二サイド定規」に相当する。　
　又、引用例１の上記（エ）の記載及び第３図を参酌すれば、先願発明のスライダは、カードの一側面に沿い延在する構成を有しており、該構成が本件発明のカードプッシャーを構成する「プッシュレバー」に相当する。　
　さらに、先願明細書の上記（エ）の「係合面４３によってカード１００の先端１０２が突き当たって係合される係合部４４」という記載及び第７図乃至第９図から判断すれば、係合部４４を構成している係合面４３は、カードの端面コーナー部に係合しており、　
　かつ、ＩＣカードの挿入時並びにカードイジェクト時における押圧が生じていることも明らかであるから、先願発明の「係合部４４」は、本件発明の「カード係合部」に相当する。　
　したがって、先願発明の「スライダ」は、本件発明の「カードプッシャー」に相当する。　
（iii）又、先願発明のボディはカードが挿入されるものであるから、その一端が開口していてカードを挿入するためのカード受口を形成していることは明らかである。　
（iv）したがって、本件発明と先願発明は、　
　電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カード収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記カード挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；更に上記プッシュレバーの前端部にＩＣカードの前端面コーナー部に係合して上記ＩＣカードの挿入時並びにカードイジェクト時における上記各押圧を図るカード係合部を形成し；上記カード収容スペースをコネクタハウジングの後側面において開口させてカード受口を形成したことを特徴とするＩＣカードの接触及び解除機構　
である点で一致し、以下の２点で相違している。　　
　
（相違点１）　
　本件発明が、コネクタハウジングのプッシュレバーと対向して延在せる側壁によりＩＣカードの他側面を規制してＩＣカードの挿抜を案内する第一サイド定規を形成しているのに対して、先願明細書にはこの点についての記載がない点。　
　
（相違点２）　
　本件発明が、カード受口の一端にカード放出弾力により後退したプッシュレバーの後端面を当接するストッパーを設けているのに対して、先願発明が、カード放出弾力により後退したプッシュレバーの位置をロック手段によって規制している点。　
　
（v）相違点についての判断　
　
（相違点１について）　
　先願発明において、スライダの支持面４１と対向して延在するボディの内壁側にカードを規制するような特別な構成がないにもかかわらず、正常にスライダの支持面４１でカードを支持し、係合面４３をカードの先端に係合させ、それによって、正常にカードの挿入と排出を行うためには、スライダの支持面４１と対向して延在するボディの側壁によりカードが規制されている必要がある。　
　したがって、先願発明においても、スライダの支持面と対向して延在するボディの側壁が、本件発明の第一サイド定規と同様にカードを規制する機能を有していると解するのが至当であり、先願発明の「ボディ」の側壁は、本件発明の「第一サイド定規」に相当し、相違点１については、本件発明と先願発明は実質的に同一である。　
　
（相違点２について）　
　引用例２には、ハウジングの前端にコイルスプリングにより前方に付勢されたガイドケースを当接するストッパーを設けること、又、ストッパーを用いる構成に換えてロック手段であるロックピンの係止によってガイドケースの復帰移動を規制してその係止位置を待機位置とすること、が記載されている。　
　しかしながら、引用例２に記載されているようなストッパーという構成が本件発明の出願日前周知の技術であるとしても、該周知技術は内側の両側壁がＩＣカードと当接するような構成のガイドケースを有する接触及び解除機構に関するものであって、本件発明あるいは先願発明のようなコネクタハウジングの側壁によりＩＣカードの他側面を規制する第一サイド定規と、カードプッシャーのプッシュレバーによりＩＣカードの一側面を規制する第二サイド定規とからなる構成の接触及び解除機構に関するものではない。　
　又、先願明細書の上記（オ）の記載、第２図、及び第７図乃至第９図には、カード放出弾力により後退したプッシュレバーの位置をロック手段によって規制することのみが記載されているのであって、カード受口の一端にカード放出弾力により後退したプッシュレバーの後端面を当接するストッパーを設けることは記載されておらず、又、その示唆もないことから、記載されているに等しい事項ということもできない。
　したがって、本件発明と先願発明とは上記相違点２において相違しており、本件発明と先願発明は同一ではない。　
　
（６）むすび　
　
　以上のとおりであるから、特許異議申立ての理由及び証拠によっては、本件請求項１に係る発明の特許を取り消すことはできない。　
　また、他に本件請求項１に係る発明の特許を取り消すべき理由を発見しない。　
　よって、結論のとおり決定する。　
【異議決定日】
平成１５年１月１７日（２００３．１．１７）
【訂正の要旨】
訂正事項
▲１▼　訂正事項ａは特許請求項の範囲の請求項１が、
「【請求項１】電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カード収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記カード挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；他方上記コネクタハウジングの上記プッシュレバーと対向して延在せる側壁により上記ＩＣカードの他側面を規制してＩＣカードの挿抜を案内する第一サイド定規を形成し；更に上記プッシュレバーの前端部にＩＣカードの前端面コーナー部に係合して上記ＩＣカードの挿入時並びにカードイジェクト時における上記各押圧を図るカード係合部を形成したことを特徴とするＩＣカードの接触及び解除機構」
であるところ、この請求項１に下記のアンダーラインを付した事項を加入して、
「【請求項１】電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カード収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記カード挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；他方上記コネクタハウジングの上記プッシュレバーと対向して延在せる側壁により上記ＩＣカードの他側面を規制してＩＣカードの挿抜を案内する第一サイド定規を形成し；更に上記プッシュレバーの前端部にＩＣカードの前端面コーナー部に係合して上記ＩＣカードの挿入時並びにカードイジェクト時における上記各押圧を図るカード係合部を形成し
；上記カード収容スペースをコネクタハウジングの後側面において開口させてカード受口を形成し；該カード受口の一端に上記カード放出弾力により後退した上記プッシュレバーの後端面を当接するストッパーを設け
と訂正する。
▲２▼　訂正事項ｂは明細書の【０００９】が、
「【０００９】
　更にＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備える。」
であるところ、これを、
「【０００９】
　更にＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備える。
　
そして上記カード収容スペースをコネクタハウジングの後側面において開口させてカード受口を形成し、該カード受口の一端に上記カード放出弾力により後退した上記プッシュレバーの後端面を当接するストッパーを設け、待機状態を形成する。
と訂正する。
▲３▼　訂正事項ｃは明細書の【００４１】が、
「【００４１】
　図６に示すように、ＩＣカード１２をカード収容スペース８内に収容していない時においては、カードプッシャー１６はコイルバネ２６の弾発力により後退し、カード受口９の一端にベース３と一体に設けたストッパー２３に当接して待機状態を形成している。」
であるところ、これを、
「【００４１】
　図６に示すように、ＩＣカード１２をカード収容スペース８内に収容していない時においては、カードプッシャー１６はコイルバネ２６の弾発力により後退し、カード受口９の一端にベース３と一体に設けたストッパー２３に
上記カードプッシャーの後端面を
と訂正する。
（５４）【発明の名称】
ＩＣカードの接触及び解除機構
（５７）【特許請求の範囲】
　【請求項１】電子機器のコネクタハウジングによって形成されるカード収容スペース内へ挿入されるＩＣカードと；該ＩＣカードの挿入時にＩＣカードの外部接点と接触し、ＩＣカードの抜去時に上記接触が解除される、上記カード収容スペース内に設けられたコンタクトと；ＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備えたＩＣカードの接触及び解除機構において、上記カードプッシャーは上記カード挿抜方向に進退動可に配置すると共にＩＣカードの一側面に沿い延在するプッシュレバーにより形成し；該プッシュレバーによりＩＣカードの一側面を規制してＩＣカードの挿抜を案内する第二サイド定規を形成し；他方上記コネクタハウジングの上記プッシュレバーと対向して延在せる側壁により上記ＩＣカードの他側面を規制してＩＣカードの挿抜を案内する第一サイド定規を形成し；更に上記プッシュレバーの前端部にＩＣカードの前端面コーナー部に係合して上記ＩＣカードの挿入時並びにカードイジェクト時における上記各押圧を図るカード係合部を形成し
；上記カード収容スペースをコネクタハウジングの後側面において開口させてカード受口を形成し；該カード受口の一端に上記カード放出弾力により後退した上記プッシュレバーの後端面を当接するストッパーを設け
　【請求項２】上記ＩＣカードはその前端面コーナー部にカード挿入方向を指示する受圧斜面を備え、上記プッシュレバーの後退時に上記カード係合部に設けた上記受圧斜面と同調する加圧斜面が上記受圧斜面を押圧して上記カードイジェクトを行う構成とすると共に、上記カード係合部の前端面はＩＣカードの前端面のレベルと略同一に設定したことを特徴とする請求項１記載のＩＣカードの接触及び解除機構。
【発明の詳細な説明】
　【０００１】
　【発明の属する技術分野】
　本発明は電子機器に挿入して使用されるＩＣカードの接触及び解除機構に関する。
　【０００２】
　【従来の技術】
　近年、ユーザーが所有するＩＣカードを必要時にカメラ、パソコン、録音機等の電子機器に挿入し、機器からの情報をＩＣカードに記録したり、ＩＣカードから機器へ情報を与えるカードイン稼働形電子機器が急速に普及されつつある。
　【０００３】
　従来、これらのカードイン稼働形電子機器内に挿入されているメモリーカードを抜去する手段（接触を解除する手段）として、メモリーカードの挿入時に同カード後端がカード受口より突出するように挿入深さを設定し、この突出端をユーザーの手指による抜き取りに供する方法、或いはカード受口の近傍にイジェクト釦を設けておき、使用後ユーザーがこのイジェクト釦を押すことによりイジェクトレバーを作動させ、カード放出（カード接触解除）を行う方法が採られている。
　【０００４】
　然しながら、メモリーカードの突出端をユーザーが摘持して抜き取る方式は、手指で摘持するのに必要な突出寸法が必要であり、これが外観を損ない、又外的衝撃によるカード損傷の機会を多くし、コンタクトに摩擦接触しているメモリーカードを個々のユーザーが不正常な姿勢で抜き取ることによりカード損傷を来す等の問題、抜き取り負荷が大きい等の問題を有している。
　【０００５】
　又イジェクト釦方式ではスペース等の制約からイジェクト釦を適切な位置に設置することが困難であったり、又イジェクト釦が外観と小形化を損なう問題点を有している。
　【０００６】
　【発明が解決しようとする課題】
　本発明は、ＩＣカードを手指で抜去する方式、或いはイジェクト操作釦を設けてＩＣカードのイジェクトを行う方式を排して、これら方式が持つ前記問題点を解消するＩＣカードの接触及び解除機構を提供する。
　【０００７】
　加えて本発明は、挿入されているＩＣカードを再押圧することによりカードイジェクト手段を働かせつつ、該カードイジェクト手段を構成するカードプッシャーをＩＣカードの挿抜を案内する手段として兼用する構成にして、構造の合理化と小形化を達成するＩＣカードの接触及び解除機構を提供する。
　【０００８】
　【課題を解決するための手段】
　上記ＩＣカードの接触及び解除機構は、電子機器のカード収容スペース内へ挿入されるＩＣカードと；該ＩＣカードの挿入時にＩＣカードの外部接点と接触し、ＩＣカードの抜去時に上記接触が解除される、上記カード収容スペース内に設けられたコンタクトを備える。
　【０００９】
　更にＩＣカード挿入時に同カード前端面で押圧されてカード挿入方向へ前進し、カード放出弾力を蓄えるカードプッシャーと；上記ＩＣカードを挿入した時に上記カードプッシャーを前進位置にロックし、ＩＣカードを挿入方向に再押圧した時に上記ロックを解除して上記カードプッシャーを上記放出弾力により後退すると共に、該後退するプッシャーによりＩＣカードの前端面を同カード挿入方向とは逆方向に押圧しカードイジェクトを許容するロック手段とを備える。
　
そして上記カード収容スペースをコネクタハウジングの後側面において開口させてカード受口を形成し、該カード受口の一端に上記カード放出弾力により後退した上記プッシュレバーの後端面を当接するストッパーを設け、待機状態を形成する。
　【００１０】
　そして上記ＩＣカードの接触及び解除機構において、上記ＩＣカードはその前端面コーナー部にカード挿入方向を指示する斜面を有し、上記カードプッシャーの前端部に設けたカード係合部は上記後退時にＩＣカードの上記斜面（受圧斜面）を押圧して上記カードイジェクトを行う構成とした。
　【００１１】
　又上記カードプッシャーを上記カード挿抜方向に進退動可に配置すると共に、ＩＣカードの一側面に沿い延在してＩＣカードの挿抜を案内するサイド定規を形成する。
　【００１２】
　好ましくは、上記カードプッシャーのカード係合部は上記ＩＣカードの前端面コーナー部に形成した受圧斜面を押圧する該受圧斜面と同調せる加圧斜面を有する。
　【００１３】
　又上記カードプッシャーの端部に揺動アームの基端を揺動可に支持し、該揺動アームの自由端をカム要素にてロックとロック解除位置に揺動せしめる。
　【００１４】
　上記ＩＣカード前端面コーナー部に設けられた斜面は、カード挿入方向を指示する手段として機能すると同時に、カードプッシャーによる受圧面として機能する。これにより、カードプッシャーをＩＣカードの前端面から突出させずに、又は突出量を限定することができる。
　【００１５】
　即ち受圧斜面を押圧するカードプッシャーの押圧部を受圧斜面の外側に形成されるデルタスペース内に押圧部を収めることができ、これにより全体の小形化を達成できる。この効果を得る好ましい構造は、カードプッシャーのカード係合部に受圧斜面と同調する加圧斜面を形成することである。この加圧斜面はＩＣカードの挿入方向の間違いを気付かせる手段ともなる。
　【００１６】
　又ＩＣカードの受圧斜面を押圧してＩＣカードをイジェクトする場合に、カードプッシャーとは反対側のＩＣカードの側面をこれと対向するサイド定規に押しつける分力を生じ、ＩＣカードはこのサイド定規の案内により、傾くことなく円滑にイジェクトできる。
　【００１７】
　又上記カードプッシャーがＩＣカードの挿抜を案内するサイド定規として兼用する構造により、カードプッシャーに相当する別のサイド定規を設ける必要がなく、スペース削減と小形化に寄与する。
　【００１８】
　ＩＣカードは挿入しながら、或いはイジェクトしながらカードプッシャーにより案内され、カードプッシャーと揺動アームは一緒に進退しつつ、揺動アームをカードプッシャーの後端部側において揺動させカム要素との係脱を図り、カード収容スペースの一側部に上記揺動アームとカム要素を配置できる。
　【００１９】
　【発明の実施の形態】
　以下本発明の実施の形態を図１乃至図１２に基づいて説明する。
　【００２０】
　コネクタハウジング１はベース２とカバー３から成る。ベース２及びカバー３は合成樹脂等の絶縁材で夫々一体成形するか、又はベース２を絶縁材で一体成形し、カバー３は板金の打ち抜き曲げ加工品で形成する。
　【００２１】
　上記カバー３は天板部４と、該天板部４の左右側辺に沿うカード挿入方向に延びる左右側板５を有し、該カバー３をベース２に抱き合わせ、カバー３の左右側板５に設けた係止爪６をベース２の左右側縁に形成した凹所７に折曲係合してコネクタハウジング１を組み立て、ベース２とカバー３間にカード収容スペース８を形成し、該カード収容スペース８をコネクタハウジング１の後側面において開口させてカード受口９とする。このカード受口９は電子機器の外壁に設けたカード受口と一致する。
　【００２２】
　上記ベース２にはＩＣカード１２の表面に配置された多数の電極パッド１３と加圧接触するための多数のコンタクト１４を植設する。該コンタクト１４はカード挿抜方向に伸びる弾性接片１５を有し、上下に弾性変位可能にする。
　【００２３】
　上記カード受口９から挿入されたＩＣカード１２は、その表面で上記弾性接片１５を押圧して下方に変位させ、その反力で電極パッド１３と加圧せしめる。
　【００２４】
　上記カード収容スペース８の一側には、ＩＣカード挿入時に同カード前端面で押圧されてカード挿入方向へ前進し、カード放出弾力を蓄えるカードプッシャー１６を設ける。
　【００２５】
　上記カードプッシャー１６は上記カード挿抜方向に進退動可に配置すると共に、ＩＣカード１２の一側面に沿い延在せるプッシュレバー１７により形成し、該プッシュレバー１７はＩＣカード１２の挿抜を案内するサイド定規を形成している。
　【００２６】
　即ち、ＩＣカード１２はその一側面２１、即ちカード挿抜方向と平行な一側面２１をプッシュレバー１７の内側面１８により規制される。即ち、プッシュレバー１７は第二サイド定規２５として機能する。
　【００２７】
　同時に該コネクタハウジング１の上記プッシュレバー１７と対向して平行に延在された他側壁によりカード１２の他側面２０を規制する。即ち、該他側壁は第一サイド定規２４として機能する。この第一サイド定規２４はカバー３の一方の側板５にて形成される。よってＩＣカード１２の挿抜を第一，第二サイド定規２４，２５にて案内する。
　【００２８】
　プッシュレバー１７にはその下面より下方へ突出するスライドガイド３９を一体に設け、他方カード収容スペース８の一側縁から張り出すベース２の張り出し部にカード挿抜方向に延びるガイドスロット４０を設け、このガイドスロット４０に上記スライドガイド３９を滑合してプッシュレバー１７がカード挿抜方向に適正に直線往復動できるようにする。
　【００２９】
　上記プッシュレバー１７をバネ２６にてカードイジェクト方向に弾発する。この弾発手段としてコイルバネ２６を用い、該コイルバネ２６をプッシュレバー１７の長手に亘って設けたカード挿抜方向に延びる溝又は長孔２７に挿入し、コイルバネ２６の一端を溝又は長孔２７の底面に弾接支持すると共に、該溝又は長孔２７から突出する該コイルバネの他端をベース２の前壁２９から突出したバネ受け突起３０に外挿しバネ２６の位置決めを図る。
　【００３０】
　上記コイルバネ２６は前壁２９とバネ受け溝又は長孔２７の底壁間において圧縮され、その弾発力により上記プッシュレバー１７を常にカードイジェクト方向に付勢する。
　【００３１】
　上記プッシュレバー１７の前端にカード係合部３３を設ける。ＩＣカード１２はその前端面の一方のコーナー部にカード挿入姿勢指示用の斜面３４を有しており、上記カード係合部３３はこの斜面３４に作用する。
　【００３２】
　好ましくは、カード係合部３３には上記受圧斜面３４と同調する加圧斜面３５を設け、両斜面３４，３５を互いに平行に対接可能とする。
　【００３３】
　上記カード係合部３３の前端面３６はＩＣカード１２の前端面３７のレベルと略同一にすることができる。即ちコネクタハウジング１の前壁即ちベースの前壁２９内面にＩＣカード１２の前端面３７が当接した時にカード係合部３３の前端面３６がコネクタハウジング１の前壁２９に接するか接しないレベルに設定する。
　【００３４】
　以上説明したように、電子機器のカード収容スペース内にＩＣカード１２を挿入し、該スペース内に設けたコンタクト１４と接触させ、ＩＣカード１２のイジェクトによって接触を解除するようにしたＩＣカードの接触及び解除機構を構成する。上記カード係合部３３は斜面３４の外域に形成されたデルタスペース内に収められる。
　【００３５】
　そしてＩＣカード１２の挿入によって押圧されてカード放出弾力を蓄えるプッシュレバー１７、即ちプッシャー１６を備え、該プッシュレバー１７はカード挿入方向とイジェクト方向にＩＣカード１２の一側縁に沿い進退動可に配置され、ＩＣカード１２を挿入した時に上記カードプッシャーを前進位置にロックすると共にカード１２を挿入方向に再押圧することにより、上記ロックを解除してカードプッシャーの放出弾力による後退とＩＣカード１２のイジェクトを許容するロック機構を備える。
　【００３６】
　上記プッシュレバー１７の後端に揺動アーム３８の基端を揺動可に支持し、該揺動アーム３８の自由端をベース２に一体成形したカム要素にてロックとロック解除位置に揺動し案内する。
　【００３７】
　コネクタハウジング１のカード挿入方向に沿って延びる第一サイド定規２４を形成する側板５と対向する側壁１９の内面に沿ってカードプッシャー１６を構成するプッシュレバー１７を延在させ、該プッシュレバー１７を側壁１９の内面とＩＣカード１２の一側面２１間に介在せしめ、カード挿抜方向に進退動可に支持する。
　【００３８】
　換言すると、挿入されるべきＩＣカード１２の一側面２１に沿い、上記プッシュレバー１７を延在せしめ、このプッシュレバー１７を側壁１９との間に介在せしめてカード挿抜方向に進退動可に支持する。
　【００３９】
　上記ロック機構は既知のハートカム２２と上記揺動アーム３８によって構成される。該ハートカム２２をベース２の一側部、即ちカード収容スペース８の一側部に配置し、該ハートカム２２に上記揺動アーム３８を滑合せしめる。
　【００４０】
　以下上記ロック機構の構成及び動作を図６乃至図１０に基づいて説明する。
　【００４１】
　図６に示すように、ＩＣカード１２をカード収容スペース８内に収容していない時においては、カードプッシャー１６はコイルバネ２６の弾発力により後退し、カード受口９の一端にベース３と一体に設けたストッパー２３に
上記カードプッシャーの後端面を
　【００４２】
　図６，図７に示すように、ＩＣカード１２の前端面３７をコネクタハウジング１の前壁２９に当接するまでカード１２を挿入した時、この挿入に伴い受圧斜面３４がプッシュレバー１７の加圧斜面３５を押圧し、該プッシュレバー１７をコイルバネ２６を圧縮しつつ前進させる。
　【００４３】
　この時揺動アーム３８は図７に示すように、プッシュレバー１７と一緒に前進し、同レバー１７の後端をハートカム２２のカム軌道に従いロック可能な位置まで案内する。
　【００４４】
　図８に示すように、ＩＣカード１２に対する挿入力を解除すると、プッシュレバー１７及び揺動アーム３８はコイルバネ２６の弾発力により僅かに後退し、ハートカム２２の係合用凹所２８に係合して後退を停止する。
　【００４５】
　この結果ＩＣカード１２は所定の挿入位置に停止し、その電極パッド１３をコンタクト１４に加圧接触した状態を保つ。
　【００４６】
　次に図９に示すように、ＩＣカード１２を挿入方向へ再押圧して受圧斜面３４により加圧斜面３５を押圧する。この押圧によりプッシュレバー１７はコイルバネ２６を圧縮しつつ前壁２９に当接するまで僅かに前進する。この時上記揺動アーム３８はプッシュレバー１７と一緒に前進し、上記凹所２８から脱出してロック解除可能な状態を形成する。
　【００４７】
　次に図１０に示すように、上記ＩＣカード１２の挿入方向への押圧力を解除すると、プッシュレバー１７はコイルバネ２６の弾発力により後退し、加圧斜面３５が受圧斜面３４を押圧し、ＩＣカード１２をカード受口９より一定量突出させる。即ちカードイジェクトを行なう。この時上記揺動アーム３８はハートカム２２の軌道に案内されつつプッシュレバー１７と一緒に後退する。
　【００４８】
　ＩＣカード１２はこのプッシュレバー１７の後退時に第一，第二サイド定規２４，２５により案内されつつ後方（挿入方向とは反対方向）へ案内されつつ、カード受口９より突出される。
　【００４９】
　【００５０】
　【００５１】
　【００５２】
　【００５３】
　【００５４】
　【００５５】
　【００５６】
　【発明の効果】
　上記ＩＣカード前端面コーナー部に設けられた斜面をカード挿入方向を指示する手段として機能させつつ、カードプッシャーによる受圧面として機能させることにより、カードプッシャーの押圧部をＩＣカードの前端面から突出させずに、又は突出量を限定し、上記斜面により形成されたデルタスペース内に配置することができる。これにより全体の小形化を達成できる。
　【００５７】
　又ＩＣカードの受圧斜面を押圧してＩＣカードをイジェクトする場合に、カードプッシャーとは反対側のＩＣカードの側面をこれと対向するサイド定規に押しつける分力を生じ、ＩＣカードはこのサイド定規の案内により、傾くことなく円滑にイジェクトすることができる。
　【００５８】
　又上記カードプッシャーをＩＣカードの挿抜を案内するサイド定規として兼用する構造により、カードプッシャーに相当する別のサイド定規を設ける必要がなく、スペース削減と小形化に寄与する。ＩＣカードは挿入しながら、或いはイジェクトしながらカードプッシャーにより案内できる。
【図面の簡単な説明】
　【図１】
　ＩＣカードの接触及び解除機構を形成するコネクタの斜視図。
　【図２】
　上記コネクタにおけるカバーを除去し、ベースとカードプッシャーを分解して示す斜視図。
　【図３】
　図１におけるＡ−Ａ線断面図であり、ＩＣカードの挿入前の状態を示す。
　【図４】
　図１におけるＡ−Ａ線断面図であり、ＩＣカードの挿入後の状態を示す。
　【図５】
　図１におけるＢ−Ｂ線断面図。
　【図６】
　図６乃至図１０はＩＣカードの挿入とイジェクトを動作順に説明するカードコネクタの断面図であり、図６はＩＣカードの挿入直後の状態を示す。
　【図７】
　ＩＣカードをロック可能な状態まで挿入した状態を示す断面図。
　【図８】
　ＩＣカードをロック状態に挿入した状態を示す断面図。
　【図９】
　ＩＣカードをロック解除可能な状態まで再挿入した状態を示す断面図。
　【図１０】
　ＩＣカードをイジェクトした状態を示す断面図。
　【符号の説明】
　　１　　　　　コネクタハウジング
　　２　　　　　ベース
　　３　　　　　カバー
　　４　　　　　天板部
　　５　　　　　カバー側板
　　６　　　　　係止爪
　　７　　　　　凹所
　　８　　　　　カード収容スペース
　　９　　　　　カード受口
　１２　　　　　ＩＣカード
　１３　　　　　電極パッド
　１４　　　　　コンタクト
　１５　　　　　弾性接片
　１６　　　　　カードプッシャー
　１７　　　　　プッシュレバー
　１８　　　　　プッシュレバー内側面
　１９　　　　　側壁
　２０，２１　　カード側面
　２２　　　　　ハートカム
　２３　　　　　ストッパー
　２４　　　　　第一サイド定規
　２５　　　　　第二サイド定規
　２６　　　　　バネ
　２７　　　　　溝又は長孔
　２８　　　　　ハートカム係合用凹所
　２９　　　　　ベース前壁
　３０　　　　　バネ受け突起
　３１　　　　　連結バー
　３３　　　　　カード係合部
　３４　　　　　カード挿入姿勢指示用傾斜面（受圧斜面）
　３５　　　　　加圧斜面
　３６　　　　　カード係合部端面
　３７　　　　　カード前端面
　３８　　　　　揺動アーム
　３９　　　　　スライドガイド
　４０　　　　　ガイドスロット